(57)【要約】【課題】特定のアクセスポイントと特定の無線ステーションとの間の無線通信のための設定を好適に行うことができるアクセスポイント及び無線ネットワークシステムを提供することを目的とする。【解決手段】アクセスポイント１０において無線通信のための設定の対象となるプリンタ３０又はスキャナ５０を特定可能な特定情報の操作部３４，５４を介した入力と、入力された特定情報の記憶部３６，５６への記憶を可能とし、この特定情報によって特定された例えば、プリンタ３０からの要求に対して、応答を許可するようにアクセスポイント１０を制御する構成としたものである。【選択図】図１
2008244959.tif 000002
【特許請求の範囲】
【請求項１】
複数の無線ステーション各々と無線通信可能な第１通信手段と、
前記無線ステーションを特定可能な特定情報を入力する入力手段と、
前記入力手段によって入力された特定情報を記憶する第１記憶手段と、
前記第１通信手段を介した前記複数の無線ステーション各々との第１データの無線通信を制御する第１制御手段と、
前記複数の無線ステーション各々が第１データの無線通信を行うための設定情報を含む第２データの前記複数の無線ステーション各々への送信と、前記第２データの送信に応じて一の無線ステーションから送信される前記一の無線ステーションを特定可能な一の特定情報を含む第３データの受信と、を制御する第２制御手段と、
前記第１通信手段による第３データの受信を条件として、前記第１通信手段を介した前記一の無線ステーションへの第４データの送信を制御する第３制御手段と、
前記第１制御手段が動作する第１モードと、前記第２制御手段及び前記第３制御手段が動作する第２モードを選択可能な選択手段と、
前記選択手段による前記第２モードの選択を条件として、前記第１記憶手段に記憶された特定情報と前記一の特定情報との一致を判定する判定手段と、
前記判定手段による一致するとの判定を条件として、前記第３制御手段の動作を許可する許可手段と、を備えていることを特徴とするアクセスポイント。
【請求項２】
アクセスポイントと、複数の無線ステーションと、を含む無線ネットワークシステムであって、
前記アクセスポイントは、
複数の無線ステーション各々と無線通信可能な第１通信手段と、
前記無線ステーションを特定可能な特定情報を入力する入力手段と、
前記入力手段によって入力された特定情報を記憶する第１記憶手段と、
前記第１通信手段を介した前記複数の無線ステーション各々との第１データの無線通信を制御する第１制御手段と、
前記複数の無線ステーション各々が第１データの無線通信を行うための設定情報を含む第２データの前記複数の無線ステーション各々への送信と、前記第２データの送信に応じて一の無線ステーションから送信される前記一の無線ステーションを特定可能な一の特定情報を含む第３データの受信と、を制御する第２制御手段と、
前記第１通信手段による第３データの受信を条件として、前記第１通信手段を介した前記一の無線ステーションへの第４データの送信を制御する第３制御手段と、
前記第１制御手段が動作する第１モードと、前記第２制御手段及び前記第３制御手段が動作する第２モードを選択可能な選択手段と、
前記選択手段による前記第２モードの選択を条件として、前記第１記憶手段に記憶された特定情報と前記一の特定情報との一致を判定する判定手段と、
前記判定手段による一致するとの判定を条件として、前記第３制御手段の動作を許可する許可手段と、を備え
前記無線ステーションは、
前記アクセスポイントと無線通信可能な第２通信手段と、
自装置に係る前記特定情報を記憶する第２記憶手段と、
前記第２通信手段を介した前記アクセスポイントとの第１データの無線通信を制御する第４制御手段と、
前記第２データの受信と、前記第２記憶手段に記憶された自装置に係る特定情報を含む第３データの送信と、を制御する第５制御手段と、を備えていることを特徴とする無線ネットワークシステム。
【発明の詳細な説明】
【技術分野】
【０００１】
本発明は、無線ネットワークシステムを構成するアクセスポイントに係るものである。
【背景技術】
【０００２】
例えば、自宅、オフィスその他の場所において、無線ネットワークを利用したデータ通信が広く適用されている。例えば、「ＩＥＥＥ８０２．１１ｂ／ｇ／ａ」規格による無線ＬＡＮ（ローカル・エリア・ネットワーク）システムが普及し、１つのアクセスポイントを介して複数の無線ステーションが通信可能に無線ネットワークシステムが形成されている。
【０００３】
そして、この無線ＬＡＮシステムに関し、アクセスポイントと無線ステーション間の無線通通信のための設定（以下、「接続設定」ともいう。）を容易に行う技術が実用化されており、これによれば、利用者はアクセスポイントと無線ステーションに対して、簡単な操作を施すことで、設定を完了することができる（例えば、非特許文献１）。
【非特許文献１】株式会社バッファロー、“ＡＯＳＳの機能・特長”、［online］、［２００７年３月２７日検索］、インターネット、＜http://buffalo.jp/aoss/function.html＞
【発明の開示】
【発明が解決しようとする課題】
【０００４】
ここで、上記無線ＬＡＮシステムその他の実用化されている無線通信を用いた無線ネットワークシステムでは、広範囲で無線通信が可能である。アクセスポイントが無線ステーションとの接続設定を実行するモードへ移行した場合、無線通信可能な範囲に位置する無線ステーションであればいずれの無線ステーションであっても、そのアクセスポイントとの接続設定を実行することができる。
【０００５】
本発明は、特定のアクセスポイントと特定の無線ステーションとの間の無線通信のための設定を好適に行うことができるアクセスポイント及び無線ネットワークシステムを提供することを目的とする。
【課題を解決するための手段】
【０００６】
上記従来の課題に鑑みなされた本発明は、アクセスポイントにおいて無線通信のための設定の対象となる無線ステーションを特定可能な特定情報の入力と記憶を可能とし、この特定情報によって特定された無線ステーションからの要求に対して、応答を許可するようにアクセスポイントを制御する構成としたものである。
【発明の効果】
【０００７】
本願の請求項１に係る発明によれば、特定の無線ステーションとの間で好適に無線通信のための設定を行うことが可能なアクセスポイントを得ることができる。
【０００８】
請求項２に係る発明によれば、特定のアクセスポイントと特定の無線ステーションとの間で好適に無線通信のための設定を行うことが可能な無線ネットワークシステムを得ることができる。
【発明を実施するための最良の形態】
【０００９】
本願の請求項１に係る発明は、複数の無線ステーション各々と無線通信可能な第１通信手段と、前記無線ステーションを特定可能な特定情報を入力する入力手段と、前記入力手段によって入力された特定情報を記憶する第１記憶手段と、前記第１通信手段を介した前記複数の無線ステーション各々との第１データの無線通信を制御する第１制御手段と、前記複数の無線ステーション各々が第１データの無線通信を行うための設定情報を含む第２データの前記複数の無線ステーション各々への送信と、前記第２データの送信に応じて一の無線ステーションから送信される前記一の無線ステーションを特定可能な一の特定情報を含む第３データの受信と、を制御する第２制御手段と、前記第１通信手段による第３データの受信を条件として、前記第１通信手段を介した前記一の無線ステーションへの第４データの送信を制御する第３制御手段と、前記第１制御手段が動作する第１モードと、前記第２制御手段及び前記第３制御手段が動作する第２モードを選択可能な選択手段と、前記選択手段による前記第２モードの選択を条件として、前記第１記憶手段に記憶された特定情報と前記一の特定情報との一致を判定する判定手段と、前記判定手段による一致するとの判定を条件として、前記第３制御手段の動作を許可する許可手段と、を備えていることを特徴とするアクセスポイントである。
【００１０】
これによれば、このような構成を備えないアクセスポイントに比較して、特定の無線ステーションとは異なる無線ステーションとの間で無線通信のための設定が行われることを低減することができる。
【００１１】
請求項２に係る発明は、アクセスポイントと、複数の無線ステーションと、を含む無線ネットワークシステムであって、前記アクセスポイントは、複数の無線ステーション各々と無線通信可能な第１通信手段と、前記無線ステーションを特定可能な特定情報を入力する入力手段と、前記入力手段によって入力された特定情報を記憶する第１記憶手段と、前記第１通信手段を介した前記複数の無線ステーション各々との第１データの無線通信を制御する第１制御手段と、前記複数の無線ステーション各々が第１データの無線通信を行うための設定情報を含む第２データの前記複数の無線ステーション各々への送信と、前記第２データの送信に応じて一の無線ステーションから送信される前記一の無線ステーションを特定可能な一の特定情報を含む第３データの受信と、を制御する第２制御手段と、前記第１通信手段による第３データの受信を条件として、前記第１通信手段を介した前記一の無線ステーションへの第４データの送信を制御する第３制御手段と、前記第１制御手段が動作する第１モードと、前記第２制御手段及び前記第３制御手段が動作する第２モードを選択可能な選択手段と、前記選択手段による前記第２モードの選択を条件として、前記第１記憶手段に記憶された特定情報と前記一の特定情報との一致を判定する判定手段と、前記判定手段による一致するとの判定を条件として、前記第３制御手段の動作を許可する許可手段と、を備え前記無線ステーションは、前記アクセスポイントと無線通信可能な第２通信手段と、自装置に係る前記特定情報を記憶する第２記憶手段と、前記第２通信手段を介した前記アクセスポイントとの第１データの無線通信を制御する第４制御手段と、前記第２データの受信と、前記第２記憶手段に記憶された自装置に係る特定情報を含む第３データの送信と、を制御する第５制御手段と、を備えていることを特徴とする無線ネットワークシステムである。
【００１２】
これによれば、このような構成を備えない無線ネットワークシステムに比較して、特定の無線ステーションとは異なる無線ステーションとの間で無線通信のための設定が行われることを低減することができる。
【００１３】
なお、請求項１及び請求項２に係る発明が奏する上記作用（機能）について、具体的場面を想定して説明すると、例えば、単独の利用者によって特定のアクセスポイントと特定の無線ステーションの接続設定が開始された場合、設定の対象となるアクセスポイントを、設定情報を含む第２データ等が両者間で送受信されるモードとし、無線ステーションを同一のモードとする際に、異なる利用者が他の無線ステーションをこのモードに移行することも想定される。かかる場合、請求項１及び請求項２に係る発明を具体化したものであれば、アクセスポイントは特定された無線ステーションとの間で第２データ等の送受信を実行するため、そのアクセスポイントと他の無線ステーションとの間で接続設定が実行されること低減することができる。
【実施例】
【００１４】
以下、本発明の通信装置について、図面を用いて具体的に説明する。なお、本発明は以下に記載の構成に限定されるものではなく、同一の技術的思想において種々の構成を採用することが可能であることは云うまでもない。
【００１５】
図１は、本実施例に係るネットワークシステム示すものであり、これによれば、無線ＬＡＮシステム１は、有線のＬＡＮ８０に接続されたアクセスポイント（図１において「ＡＰ」と記載。）１０と、無線ＬＡＮ機能を有するプリンタ３０及びスキャナ５０により構成されている。
【００１６】
アクセスポイント１０は、ＣＰＵ、ＲＯＭ及びＲＡＭにより構成され、アクセスポイント１０の制御を実行する制御部１２、利用者による所定の情報の入力、通常モードから無線接続設定モードへの移行その他指示を受け付ける操作部１４、操作部１４その他図１には図示しない入力装置を介して入力された情報等を記憶する記憶部１６、無線通信の機能を実行する無線通信部１８、及び、ＬＡＮ８０を介した通信を実行するネットワーク通信部２０により構成されている。
【００１７】
ここで、上記において「無線接続設定モード」とは、無線ステーション（図１に基づけば、プリンタ３０とスキャナ５０が、これに相当する。）との無線通信を可能とするための設定を行うモードをいう。
【００１８】
また、「通常モード」とは、無線接続設定モード以外のモードをいう。具体的には、例えば、アクセスポイン１０からプリンタ３０への印刷データの送信、アクセスポイント１０からスキャナ４０へのスキャン実行の指示、スキャン４０からアクセスポイント１０への画像データの送信が実行されるモードをいう。
【００１９】
なお、制御部１２を構成するＣＰＵは、ＲＯＭに記憶された制御プログラム（下記処理を含む各処理を実行させるためのプログラム）にしたがい、アクセスポイント１０自体を制御する。
【００２０】
プリンタ３０は、ＣＰＵ、ＲＯＭ及びＲＡＭにより構成され、プリンタ３０の制御を実行する制御部３２、利用者による各種情報の入力、後述する通常モードから無線接続設定モードへの移行その他指示を受け付ける操作部３４、操作部３４により入力された各種情報その他の情報を記憶する記憶部３６、印刷を実行する印刷部３８、及び、アクセスポイント１０との無線通信を実行する無線通信部４０により構成されている。なお、無線通信部４０には、固有の情報であるＭＡＣアドレスが付与されている。
【００２１】
なお、制御部３２を構成するＣＰＵは、ＲＯＭに記憶された制御プログラムにしたがい、プリンタ３０自体を制御する。
【００２２】
スキャナ５０は、ＣＰＵ、ＲＯＭ及びＲＡＭにより構成され、スキャナ５０の制御を実行する制御部５２、利用者による各種情報の入力、後述する通常モードから無線接続設定モードへの移行その他指示を受け付ける操作部５４、操作部５４により入力された各種情報その他情報を記憶する記憶部５６、スキャンを実行するスキャン部５８、及び、アクセスポイント１０との無線通信を実行する無線通信部６０により構成されている。ここで、無線通信部６０には、固有の情報であるＭＡＣアドレスが付与されている（以下、無線通信部４０のＭＡＣアドレスを「ＳＴＡＴＩＯＮ４０」、無線通信部６０のＭＡＣアドレスを「ＳＴＡＴＩＯＮ６０」として説明する。）。
【００２３】
なお、制御部３２を構成するＣＰＵは、ＲＯＭに記憶された制御プログラムにしたがい、プリンタ３０自体を制御する。
【００２４】
ＬＡＮ８０に接続されたパーソナルコンピュータ（図１において「パソコン」と記載。以下、「パソコン」という。）は、アクセスポイント１０とプリンタ３０又はスキャナ５０が無線通信可能な状態において、各装置に対して、各々の有する機能の実行を指示する。例えば、パソコン７０は、印刷データを、アクセスポイント１０を介してプリンタ３０に送信し、これを受信したプリンタ３０は、印刷データを印刷する。また、スキャナ５０に対して原稿載置部の原稿のスキャンを指示し、この指示に応答してスキャナ５０はスキャンを実行するとともに、得られた画像データを、アクセスポイント１０を介してパソコン７０に送信する。
【００２５】
図２は、アクセスポイント１０において実行される処理の手順を示すものである。
【００２６】
先ず、制御部１２は、操作部１４を介した利用者操作に基づき、接続設定モードへの移行指示を受け付けるまで、通常モードによる動作を実行する（Ｓ１００：ＮＯ）。
【００２７】
そして、通常モードによる動作中に、接続設定モードへの移行指示を受け付けた場合（Ｓ１００：ＹＥＳ）、制御部１２は、接続設定の対象となる無線ステーションを特定可能な情報（例えば、「ＭＡＣアドレス」である。以下、「ＭＡＣアドレス」を例に説明する。）が、操作部１４を介して利用者により入力されるまで待機する（Ｓ１０２：ＮＯ）。
【００２８】
なお、ＭＡＣアドレスは、アクセスポイント１０と有線又は無線による通信（例えば、アドホックモードによる無線通信）可能な外部装置（図１において図示せず。）から入力される構成を採用することもできる。かかる場合、Ｓ１００の判断が肯定されたことを条件として、制御部１２は、この外部装置から自動的にＭＡＣアドレスを取得する構成を採用すると、利用者負担を軽減可能で好適である。
【００２９】
また、アクセスポイント１０は、一定時間待機したとしてもＭＡＣアドレスが入力されない場合、接続設定モードから通常モードに移行するように構成されている。
【００３０】
ＭＡＣアドレスの入力待機中に、操作部１４を介して利用者によりＭＡＣアドレスが入力された場合（Ｓ１０２：ＹＥＳ）、制御部１２は、入力されたＭＡＣアドレスを記憶部１６に記憶させ（Ｓ１０４）、Ｓ１０６に移行する。
【００３１】
なお、本実施例では、アクセスポイント１０とプリンタ３０との間で、無線接続のための設定が実行される場合を例に説明する。かかる場合、Ｓ１０４において、プリンタ３０が備える無線通信部４０のＭＡＣアドレス「ＳＴＡＴＩＯＮ４０」が入力され、これが記憶部１６に記憶される。
【００３２】
Ｓ１０６において、制御部１２は、無線通信部１８を介して存在確認要求をブロードキャスト送信する。ここで、存在確認要求とは、アクセスポイント１０が、通信範囲内に存在する無線ステーションを確認するために送信されるためのデータであり、制御部１２は、存在確認要求にアクセスポイント１０を識別可能なＳＳＩＤ（Ｓｅｒｖｉｃｅ  Ｓｅｔ  Ｉｄｅｎｔｉｆｉｅｒ）又はＥＳＳＩＤ（Ｅｘｔｅｎｄｅｄ  Ｓｅｒｖｉｃｅ  Ｓｅｔ  Ｉｄｅｎｔｉｆｉｅｒ）その他アクセスポイント１０との通信に必要な情報を含めることもできる。
【００３３】
制御部１２は、存在確認要求の送信後、この存在確認要求に応じて、存在確認要求を受信できる範囲内に位置する無線ステーション、具体的には、プリンタ３０又はスキャナ５０から送信されてくる存在確認応答（Ｓ２０６参照）を受信するまで待機する（Ｓ１０８：ＮＯ）。
【００３４】
ここで、無線ステーション（後述する説明を例にすれば、プリンタ３０がこれに相当）から存在確認応答（Ｓ２０６参照）を受信した場合（Ｓ１０８：ＹＥＳ）、制御部１２は、Ｓ１０４において記憶したＭＡＣアドレスと、Ｓ１０８において受信した存在確認応答に含まれているＭＡＣアドレスと、の同一性を判断する（Ｓ１１０）。
【００３５】
例えば、受信した存在確認応答がスキャナ５０により送信されたものである場合、存在確認応答に含まれるＭＡＣアドレスは「ＳＴＡＴＩＯＮ６０」であるのに対し、記憶部１６に記憶されているＭＡＣアドレスは「ＳＴＡＴＩＯＮ４０」であるため、制御部１２は、その判断を否定し（Ｓ１１０：ＮＯ）、さらに、存在確認応答を受信するまで待機する。
【００３６】
待機状態において、プリンタ３０から存在確認応答を受信した場合（Ｓ１０８：ＹＥＳ）、制御部１２は、再度、Ｓ１１０を実行する。ここでは、存在確認応答に含まれるＭＡＣアドレスは及び記憶部１６に記憶されているＭＡＣアドレスは「ＳＴＡＴＩＯＮ４０」であるため、制御部１２は、その判断を肯定し（Ｓ１１０：ＹＥＳ）、Ｓ１１２に移行する。
【００３７】
ここで、存在確認応答とは、存在確認要求に対して通信範囲内に存在し、アクセスポイント１０との無線接続の確立を希望する無線ステーションが送信するデータである。
【００３８】
Ｓ１１２では、制御部１２は、Ｓ１１０において判断が肯定されたプリンタ３０に対して接続許可要求を送信する。ここで、接続許可要求とは、Ｓ１１０の判断が肯定された無線ステーション（本実施例ではプリンタ３０）に対して、アクセスポイント１０との無線接続の設定の実行を要求するためのデータである。
【００３９】
そして、制御部１２は、プリンタ３０が送信する接続要求の受信（Ｓ１１４）を条件として、プリンタ３０との無線接続のための設定に際し、所定の処理を実行する（Ｓ１１６）。
【００４０】
Ｓ１１６の実行によってアクセスポイント１０とプリンタ３０との無線接続のための設定が完了した場合、換言すれば、アクセスポイント１０とプリンタ３０が通常モードにおいて無線接続を確立できる場合、制御部１２は、通常モードによる動作を実行するようにアクセスポイント１０を制御する。
【００４１】
なお、上記において、アクセスポイント１０及びこれと無線通信可能な範囲内に存在するプリンタ３０又はスキャナ５０間で送受信される存在確認要求及び存在確認応答は、各１回として説明したが、これら送受信は、数回に分けて実行される構成とすることもでき、かかる場合、制御部１２は、この数回にわたる存在確認応答の受信のいずれか、例えば、最初の存在確認応答に基づいてＳ１１０の判断を実行する構成を採用してもよい。
【００４２】
また、接続設定の対象となる無線ステーションを特定可能な情報として、ＭＡＣアドレスを例に説明したが、一の無線ステーション、すなわち、上記説明に基づけばプリンタ３０を特定可能な情報であればよく、例えば、プリンタ３０のＩＰアドレス、シリアル番号、操作部を介して利用者が任意に選択した文字列、または、特定の装置もしくは記憶媒体から、図１には図示しない読取装置を介して読み取られた情報を採用してもよい。
【００４３】
また、Ｓ１０８では存在確認応答を受信するまで待機し、また、Ｓ１１４では接続要求を受信することを前提として説明したが、存在確認応答を受信しない、また、何らかの理由によりプリンタ３０から接続要求を受信できないことも想定される。かかる場合、所定時間内に存在確認応答又は接続要求を受信しなければ、接続設定モードから通常モードに移行するように構成すると好適である。
【００４４】
また、上記においては、Ｓ１１０の実行を必須とする構成に基づき説明したが、かかる判断を実行するか否かを選択可能な構成とすることもできる。このような構成を採用すれば、所望の無線ステーションとは異なる無線ステーションとの意図しない接続設定（接続の確立）が実行されることのない環境においては、Ｓ１０２〜Ｓ１０６及びＳ１１０を省略することができる。なお、Ｓ１０２等を省略する方式が選択された場合、後述するプリンタ３０及びスキャナ５０において実行される処理において、各装置は、この処理のために装置を特定可能な情報を存在確認応答の中に含める必要はない。
【００４５】
図３は、プリンタ３０及びスキャナ５０において実行される処理の手順を示すものである。なお、以下の説明では、上記図２に係る説明に合致させるべく、プリンタ３０を中心に説明する。
【００４６】
先ず、プリンタ３０の制御部３２は、操作部３４を介した利用者操作に基づき、接続設定モードへの移行指示を受け付けるまで待機する（Ｓ２００：ＮＯ）。
【００４７】
そして、待機中に、接続設定モードへの移行指示を受け付けた場合（Ｓ２００：ＹＥＳ）、制御部３２は、接続設定モードへ移行し、アクセスポイント１０から送信される存在確認要求（Ｓ１０６参照）を受信するまで待機する（Ｓ２０２：ＮＯ）。
【００４８】
待機中に存在確認要求を受信した場合（Ｓ２０２：ＹＥＳ）、制御部３２は、存在確認要求を送信したアクセスポイント１０との接続設定を実行するか否かを判断する（Ｓ２０４）。
【００４９】
ここで、Ｓ２０４の判断は、例えば、存在確認要求にアクセスポイントを識別可能なＳＳＩＤ又はＥＳＳＩＤが含まれており、このＳＳＩＤ等が、操作部３４等を介して予め記憶部３６に記憶された識別情報に一致するか否かに基づき実行される。なお、以下の説明では、ＳＳＩＤを例にするとともに、プリンタ３０が無線接続を希望するアクセスポイントを、アクセスポイント１０として説明する。
【００５０】
したがって、Ｓ２０４では、存在確認情報にＳＳＩＤが含まれていない場合、又は、含まれている場合であっても、存在確認要求がアクセスポイント１０によって送信されたものではなく記憶部３６に記憶される識別情報と一致しない場合、その判断が否定され（Ｓ２０４：ＮＯ）、この処理を終了する。例えば、スキャナ５０の記憶部５６には、操作部５４を介して、アクセスポイント１０とは異なるアクセスポイント（図１において図示なし）のＳＳＩＤが記憶されており、かかる場合、本実施例の構成についてプリンタ３０の制御部３２と同一の制御を実行する制御部５２は、Ｓ２０４の判断を否定する（Ｓ２０４：ＮＯ）。かかる構成により、アクセスポイント１０において、存在確認応答の受信に基づいたＭＡＣアドレスの同一性判断（Ｓ１１０）の実行を抑制することが可能で、アクセスポイント１０の制御部１２の処理負担を軽減することができる。
【００５１】
これに対して、記憶部３６が記憶する識別情報に一致するＳＳＩＤが存在確認情報に含まれていた場合、制御部３２は、接続設定を実行すると判断し（Ｓ２０４：ＹＥＳ）、存在確認要求を送信してきたアクセスポイント（本実施例では、アクセスポイント１０がこれに相当）に、存在確認応答を送信する（Ｓ２０６）。ここで、制御部３２は、存在確認応答に、プリンタ３０の無線通信部４０のＭＡＣアドレス「ＳＴＡＴＩＯＮ４０」を含むように制御する。なお、無線通信部４０のＭＡＣアドレスに替え、上記において記載の情報とすることもできる。
【００５２】
そして、制御部３２は、アクセスポイント１０から送信される接続許可要求（Ｓ１１２参照）の受信がなされたか否かを判断する（Ｓ２０８）。なお、制御部３２は、所定の時間Ｓ２０８の判断を継続するが、その時間内に受信がなされなかった場合、受信はなされないものと判断し（Ｓ２０８：ＮＯ）、この処理を終了する。
【００５３】
一方、この所定時間内にＳ２０８の判断が肯定された場合、制御部３２は、その時点でＳ２１０へ移行し、アクセスポイント１０に対して接続要求を送信する（Ｓ２１０）。
【００５４】
Ｓ２１０の実行後、制御部３２は、アクセスポイント１０との無線接続のための設定に際し、アクセスポイント１０が実行するＳ１１６に対応した所定の処理を実行する（Ｓ２１２）。
【図面の簡単な説明】
【００５５】
【図１】本発明実施例に係るネットワークシステム構成を示す図
【図２】本発明の実施例に係るアクセスポイントにおいて実行される処理の手順を示した図
【図３】本発明の実施例に係るプリンタ及びスキャナにおいて実行される処理の手順を示した図
【符号の説明】
【００５６】
１  無線ＬＡＮネットワークシステム
１０  アクセスポイント
１２  制御部
１４  操作部
１６  記憶部
１８  無線通信部
３０  プリンタ
５０  スキャナ
３２，５２  制御部
３６，５６  記憶部
４０，６０  無線通信部
【図１】
2008244959.tif 000003
【図２】
2008244959.tif 000004
【図３】
2008244959.tif 000005